(57)【特許請求の範囲】
【請求項１】
内部の上側部位は、有害ガスが流入して燃焼される燃焼室が形成され、内部の下側部位は、複数の区域に区画された本体と;
前記本体の前記区域にそれぞれ設置され、熱を蓄熱する蓄熱部材と;
上側が前記本体の前記区域にそれぞれ連通して設置され、有害ガスが前記蓄熱部材を通過して前記燃焼室に流入されるように案内する、断面形状が四角状に形成された有害ガス管と;
上側が前記本体の前記区域とそれぞれ連通して設置され、有害ガスの燃焼によって前記燃焼室で生成された後、有害ガスが通過していない前記蓄熱部材を通過した清浄ガスが前記本体の外部に排出されるように案内する清浄ガス管と;
一側が前記本体の前記区域とそれぞれ連通して設置され、有害ガス及び清浄ガスが通過していない前記蓄熱部材を通過して前記燃焼室にパージガスが流入されるように案内するパージガス管と;
前記有害ガス管、前記清浄ガス管、及び前記パージガス管を開閉する第１の開閉ユニット、第２の開閉ユニット、及び第３の開閉ユニットと：を含み、
前記第１の開閉ユニットは、
六面体状に形成され、上面及び下面が開放されて、前記有害ガス管の上側部位及び下側部位にそれぞれ連通され、１つの開放された側面と３つの側板を有するフレームと;
前記フレームを出入りする形で直線運動が可能に設けられ、前記フレームの上面側と下面側とを連通及び遮断させ、内部には、前記フレームの側板によって密閉される空間が形成された開閉部材と：を含み、
前記フレームの上面側と下面側が前記開閉部材によって遮断されると、前記フレームの側板によって密閉される前記開閉部材の空間に存在するガスは、外部に強制的に排出され、
前記フレームの相互対向する側板の内面には、前記開閉部材の直線運動を案内する案内レールが相互対向するように形成され、
前記開閉部材の側面側は、前記案内レールに挿入支持されることを特徴とする蓄熱式燃焼酸化装置。
【請求項２】
前記フレームの開放された側面と対向する側板の内面には、挿入レールが形成され、
前記開閉部材によって前記フレームの上面側と下面側が遮断されたとき、前記挿入レールと対向する前記開閉部材の面に前記挿入レールが挿入されることを特徴とする請求項１に記載の蓄熱式燃焼酸化装置。
【請求項３】
前記開閉部材は、
相互に対向して間隔を持ち、前記フレームの内部に直線運動が可能に設置された一対の開閉板と;
前記一対の開閉板を接続し、前記フレームの外側に露出された接続板と；を含み、
前記フレームの上面側と下面側が前記開閉部材によって遮断されると、前記一対の開閉板と前記接続板によって形成されている空間は、前記フレームによって密閉されていることを特徴とする請求項１に記載の蓄熱式燃焼酸化装置。
【請求項４】
前記フレームの上面及び下面には、上側のコネクター及び下側のコネクターがそれぞれ連通して設置され、
前記フレームの上面及び下面には、前記上側のコネクターの下端部及び前記下側のコネクターの上端部がそれぞれ挿入結合される溝形状の挿入路 がそれぞれ形成され、
前記上側のコネクター及び前記下側のコネクターは、前記有害ガス管の上側部位及び下側部位とそれぞれ連通され、
前記フレームの一側板には、前記フレームの側板によって密閉される前記開閉部材の空間に残存するガスを外部に排出させるための排出孔が形成されたことを特徴とする請求項１に記載の蓄熱式燃焼酸化装置。
【発明の詳細な説明】
【技術分野】
【０００１】
本発明は、有害ガスの流入を制御する開閉ユニットの構造を改善した蓄熱式燃焼酸化装置に関するものである。
【背景技術】
【０００２】
揮発性有機化合物は、０.０２psi以上の蒸気圧を有し、沸点が１００℃未満の炭化水素化合物として、大気中の窒素化合物と共存すると、太陽光の作用によって光化学反応を起こし、オゾンおよび光化学酸化物を生成させる。揮発性有機化合物は、環境を汚染する物質であるだけでなく、呼吸器官の障害および発ガン物質を誘発する人体に有害な物質である。
【０００３】
このような理由から、産業現場では、揮発性有機化合物を含む有害ガスを除去するための様々な方法を使用している。
【０００４】
揮発性有機化合物の除去方法には、約８００℃の高温で揮発性有機化合物を直接燃焼させて除去する燃焼酸化方法がある。前記燃焼酸化方法の場合には、揮発性有機化合物が高温で燃焼されるので、排出される清浄ガスも高温状態である。ところで、排出される清浄ガスの廃熱を利用することができない場合、エネルギーが無駄になるので、清浄ガスの廃熱を回収した後、流入される揮発性有機化合物を予熱する蓄熱式燃焼酸化装置が多く使用されている。
【０００５】
韓国登録特許第１０-１６１８７１８号広報(２０１６年０４月２９日)に開示された従来の蓄熱式燃焼酸化装置は、本体１１０の内部が複数の区域１２１、１２２、１２３、１２４、１２５で区画され、各区域１２１、１２２、１２３、１２４、１２５に有害ガスが通過する有害ガス流入管１５１、清浄ガスが通過する清浄ガス排出管１５４、及びパージガスが通過するパージガス供給管１５７がそれぞれ連通して設置される。そして、各有害ガス流入管１５１、各清浄ガス排出管１５４、及び各パージガス供給管１５７は、バルブユニット１６０によって、それぞれ独立して開閉される。
【０００６】
前記のような従来の蓄熱式燃焼酸化装置は、相互に接触している有害ガス流入管１５１の内面とバルブユニット１６０の開閉板１６５の枠面との間へ有害ガスが漏洩することができる。その場合、有害ガス流入管１５１がバルブユニット１６０によって閉鎖された状態でも、有害ガスが有害ガス流入管１５１を介して本体１１０に流入されるので、 有害ガスが排出されるクリーンガスに混ざって排出されるおそれがある。したがって、製品の信頼性が低下する欠点がある。
【発明の概要】
【発明が解決しようとする課題】
【０００７】
したがって、本発明の目的は、前記のような従来技術のすべての問題を解決することができる蓄熱式燃焼酸化装置の提供にある。
【０００８】
本発明の他の目的は、有害ガスが通過する有害ガス管が閉鎖されたとき、有害ガス管を介して有害なガスが本体に流入することを防止して、製品の信頼性を向上させることができる蓄熱式燃焼酸化装置の提供にある。
【課題を解決するための手段】
【０００９】
前記目的を達成するための本発明の実施形態に係る蓄熱式燃焼酸化装置は、内部の上側部位は、有害ガスが流入して燃焼される燃焼室が形成され、内部の下側部位は、複数の区域に区画された本体と;前記本体の前記区域にそれぞれ設置され、熱を蓄熱する蓄熱部材と;上側が前記本体の前記区域にそれぞれ連通して設置され、有害ガスが前記蓄熱部材を通過して前記燃焼室に流入されるように案内する有害ガス管と;上側が前記本体の前記区域とそれぞれ連通して設置され、有害ガスの燃焼によって前記燃焼室で生成された後、有害ガスが通過していない前記蓄熱部材を通過した清浄ガスが前記本体の外部に排出されるように案内する清浄ガス管と；一側が前記本体の前記区域とそれぞれ連通して設置され、有害ガス及び清浄ガスが通過していない前記蓄熱部材を通過して前記燃焼室にパージガスが流入されるように案内するパージガス管と;前記有害ガス管、前記清浄ガス管、及び前記パージガス管を開閉する第１の開閉ユニット、第２の開閉ユニット、及び第３の開閉ユニットと：を含み、前記第１の開閉ユニットの上側及び下側は、前記有害ガス管の上側部位及び下側部位とそれぞれ連通され、中央部側に空間が形成され、前記有害ガス管が前記第１の開閉ユニットによって閉鎖されると、前記第１の開閉ユニットの空間に存在するガスは、外部に強制的に排出されることができる。
【発明の効果】
【００１０】
本発明の実施形態に係る蓄熱式燃焼酸化装置は、蓄熱部材が設置された本体のいずれかの区域に清浄ガスが排出されるとき、清浄ガスが排出される区域の有害ガス管は、第１の開閉ユニットによって閉鎖される。そして、有害ガス管が第１の開閉ユニットによって閉鎖されると、第１の開閉ユニットに残存するガスは、第１の開閉ユニットの外部に強制的に排出されるので、有害ガスが、清浄ガスが排出される区域に流入されない。これにより、有害ガスが排出される清浄ガスに混ざることが防止されるので、製品の信頼性が向上される効果がある
【図面の簡単な説明】
【００１１】
【図１】本発明の一実施例に係る蓄熱式燃焼酸化装置の斜視図である。
【図２】図１の一部分解斜視図である。
【図３】図１の要部の概略正断面図である。
【図４】図２に示された下部本体の概略平面図である。
【図５】図２に示された開閉ユニットの分解斜視図である。
【図６】図５の“A−A”線の断面図である。
【図７】図５の“A−A”線の断面図である。
【発明を実施するための形態】
【００１２】
本明細書では、各図面の構成要素に参照番号を付加する場合において同一の構成要素に限っては、たとえ他の図面上に表示されても、可能な限り同一の番号を持つようにしていることに留意しなければならない。
【００１３】
一方、本明細書で記述される用語の意味は、次のように理解されるべきである。
【００１４】
単数の表現は、文脈上、明らかに別の方法で定義しない限り、複数の表現を含むものと理解されるべきで、“第１の”、“第２の”などの用語は、１つの構成要素を他の構成要素から区別するためのものであり、これらの用語によって権利範囲が限定されてはならない。
【００１５】
“含む”または“有する”などの用語は、一つまたはそれ以上の他の特徴や数字、段階、動作、構成要素、部分品またはこれらを組み合わせたもの存在または付加可能性を予め排除しないものと理解されるべきである。
【００１６】
“少なくとも一つ”の用語は、複数の関連項目から提示可能なすべての組み合わせを含むものと理解されるべきである。たとえば、“第１の項目、第２の項目及び第３の項目のうち、少なくとも一つ”の意味は、第１の項目、第２の項目または第３の項目のそれぞれと同様、第１の項目、第２の項目及び第３の項目の中から２以上から提示することができるすべての項目の組み合わせを意味する。
【００１７】
“および/または”の用語は、複数の関連項目から提示可能なすべての組み合わせを含むものと理解されるべきである。たとえば、“第１の項目、第２の項目及び/または第３の項目”の意味は、第１の項目、第２の項目または第３の項目だけでなく、第１の項目、第２の項目または第３の項目のうち２つ以上から提示することができるすべての項目の組み合わせを意味する。
【００１８】
どの構成要素が他の構成要素に”接続されるまたはインストールされる”と述べたときは、そのほかの構成要素に直接接続またはインストールされることができるが、中間に他の構成要素が存在することもできると理解されるべきである。一方、いくつかの構成要素が他の構成要素に”直接接続されるまたはインストールされる”と述べたときは、中間に他の構成要素が存在しないことを理解されるべきである。一方、構成要素間の関係を説明する他の表現、すなわち”〜の間に”と”すぐ〜の間に”または”〜に隣接する”と”〜に直接隣接する”なども同様に解釈されるべきである。
【００１９】
一方、いくつかの構成要素が他の構成要素に“形成される；結合される；インストールされている”と述べたときは、どのような構成要素と他の構成要素が別々に設けられ形成されたり、結合したり、インストールされているだけでなく、どのような構成要素と他の構成要素が１つのボディに一体となったものも含まれているものと解釈されるべきである。
【００２０】
以下では、本発明の実施例に係る蓄熱式燃焼酸化装置について添付された図面を参照して詳細に説明する。
【００２１】
図１は、本発明の一実施例に係る蓄熱式燃焼酸化装置の斜視図であり、図２は、図１の一部分解斜視図であり、図３は、図１の要部の概略正断面図である。
【００２２】
図示されたように、本発明の一実施例に係る蓄熱式燃焼酸化装置は、内部に空間が形成された本体１１０を含むことができる。前記本体１１０の内部の上側部位は、揮発性有機化合物などの有害ガスが流入して燃焼される燃焼室１１１aが形成されることができ、内部の下側部位は、後述する蓄熱部材１２０が設置されている蓄熱室が形成されることができる。
【００２３】
前記本体１１０は、相互に結合された上部本体１１１と下部本体１１５に用意されることができ、上部本体１１１の内部には燃焼室１１１aが形成され、下部本体１１５の内部には、前記蓄熱室が形成されることができる。このとき、上部本体１１１の部位には有害ガスを燃焼させるためのバーナーなどの発熱手段が設置されることができる。
【００２４】
前記下部本体１１５の内部である蓄熱室は、本体１１０の中心を基準に、放射状に複数の区域に区画形成されることができる。より具体的に説明すれば、下部本体１１５の内部は、２n-１個(nは２以上の自然数)の区域に区画されることができ、２n個(nは２以上の自然数)の区域に区画されることができる。
【００２５】
前記下部本体１１５の内部が２n-１個の区域に区画されたときに、有害ガスはn-１個の区域を通過することができる。そして、有害ガスの燃焼によって生成される燃焼室１１１aの清浄ガスは有害ガスが通過する区域の数と同じn-１個の区域を通過することができ、後述するパージガスは、一つの区域を通過することができる。
【００２６】
また、下部本体１１５の内部が２n個の区域に区画されたときに、有害ガスはn-１個の区域を通過することができる。そして、有害ガスの燃焼によって生成される燃焼室１１１aの清浄ガスは有害ガスが通過する区域の数と同じn-１個の区域を通過することができ、パージガスは、一つの区域を通過することができる。
【００２７】
前記下部本体１１５の内部に形成された区域の数に関係なく、清浄ガスは有害ガスが通過していない区域を通過することができ、パージガスは、有害ガス及び清浄ガスが通過していない区域を通過することができる。
【００２８】
本発明の一実施例に係る蓄熱式燃焼酸化装置は、下部本体１１５の内部がn=３である５つの区域１１５a、１１５b、１１５c、１１５d、１１５e(図４参照)に区画されたことをその例として示す。
【００２９】
各区域１１５a、１１５b、１１５c、１１５d、１１５eには、セラミックス材で形成された蓄熱部材１２０が設置されることができ、有害ガス、清浄ガス、およびパージガスは蓄熱部材１２０を通過する。
【００３０】
有害ガス、清浄ガス、およびパージガスが蓄熱部材１２０を通過できるように、蓄熱部材１２０は、上下面が開放された四角筒状の中空体である複数の単位蓄熱部材１２０aによって形成されることができる。つまり、複数の単位蓄熱部材１２０aが行と列をなしながら配置され、行と列をなしながら配置された複数の単位蓄熱部材１２０aが積層されて蓄熱部材１２０を形成することができる。ガスが単位蓄熱部材１２０aの内部を通過するので、単位蓄熱部材１２０aの内部は気孔である。
【００３１】
前記下部本体１１５の内部には、下部本体１１５の内部を各区域１１５a、１１５b、１１５c、１１５d、１１５eに区画するための隔壁１１７が設置されることができ、隔壁１１７は、下部本体１１５に支持設置することができる。また、蓄熱部材１２０の下面は、メッシュ構造の支持板(図示せず)に支持されて下部本体１１５の下面と離隔設置することができる。
【００３２】
本発明の一実施例に係る蓄熱式燃焼酸化装置は、下部本体１１５の内部が５つの区域１１５a、１１５b、１１５c、１１５d、１１５eに区画されるので、n=３である。従って、有害ガスは２つの区域を通過することができ、清浄ガスは有害ガスが通過していない２つの区域を通過することができ、パージガスは、有害ガス及び清浄ガスが通過していない１つの区域を通過することができる。
【００３３】
有害ガスが通過する区域と清浄ガスが通過する区域は、下部本体１１５の中心を基準に約対称をなすのが望ましい。そして、有害ガス、清浄ガス、およびパージガスは、各区域１１５a、１１５b、１１５c、１１５d、１１５eをそれぞれ順次移動しながら各区域１１５a、１１５b、１１５c、１１５d、１１５eを通過することができる。つまり、各有害ガス、清浄ガス、およびパージガスは、各区域１１５a、１１５b、１１５c、１１５d、１１５eを順次通過しながら循環する形で通過することができるし、有害ガス、清浄ガス、およびパージガスの循環方向は同じにするのが望ましい。
【００３４】
本体１１０の外部下側には、第１のガスのタンク１３１が設置されることができ、第１のガスのタンク１３１には、有害ガス及び清浄ガスが流入され、一時的に区画保存することができる。第１のガスのタンク１３１の内部は、同心をなして内側と外側が区画された形で形成されることができ、産業現場から発生する有害ガスは、第１のガスのタンク１３１の外側の部位に収容格納された後、各区域１１５a、１１５b、１１５c、１１５d、１１５eの蓄熱部材１２０を通過して燃焼室１１１aに流入されることができ、有害ガスの燃焼によって生成された燃焼室１１１aの清浄ガスは、各区域１１５a 、１１５b、１１５c、１１５d、１１５eの蓄熱部材１２０を通過して第１のガスのタンク１３１の内側部位に収容格納された後、外部に排出することができる。有害ガス及び清浄ガスは、第１のガスのタンク１３１の内部に区画保存されるので、互いに互混合されない。
【００３５】
第１のガスのタンク１３１の内側部位に有害ガスが収容保存することができ、外側の部位に清浄ガスが収容保管されるものは当然である。
【００３６】
本体１１０と、第１のガスのタンク１３１の外側の部位との間には、第１のガスのタンク１３１の外側の部位に保存された有害ガスが、各区域１１５a、１１５b、１１５c、１１５d、１１５eの蓄熱部材１２０を通過して、燃焼室１１１aに流入されるように案内する有害ガス管１４１が設置されることができる。有害ガス管１４１は、各区域１１５a、１１５b、１１５c、１１５d、１１５eの数と対応するように設けられ、上端部側は、各区域１１５a、１１５b、１１５c、１１５d、１１５e側とそれぞれ連通することができ、下端部は、第１のガスのタンク１３１の外側の部位と連通することができる。
【００３７】
本体１１０と、第１のガスのタンク１３１の内側の部位との間には、燃焼室１１１aの清浄ガスが、各区域１１５a、１１５b、１１５c、１１５d、１１５eの蓄熱部材１２０を通過して、第１のガスのタンク１３１の内側の部位に排出されるように案内する清浄ガス管１４３が設置されることができる。清浄ガス管１４３は、各区域１１５a、１１５b、１１５c、１１５d、１１５eの数と対応するように設けられ、上端部側は、各区域１１５a、１１５b、１１５c、１１５d、１１５e側とそれぞれ連通することができ、下端部は、第１のガスのタンク１３１の内側部分と連通することができる。
【００３８】
前記本体１１０の外部の下面側には、パージガスが各区域１１５a、１１５b、１１５c、１１５d、１１５eの蓄熱部材１２０を通過して燃焼室１１１aに流入されるように案内するパージガス供給モジュールがインストールされることができるし、前記パージガス供給モジュールは、第２のガスのタンク１３５及びパージガス管１４５を含むことができる。
【００３９】
前記第２のガスのタンク１３５は、リング状に形成され、有害ガス管１４１及び清浄ガス管１４３を取り囲む形で設置されることができる。パージガス管１４５は、各区域１１５a、１１５b、１１５c、１１５d、１１５eの数と対応するように設けられ、一端部側は、各区域１１５a、１１５b、１１５c、１１５d、１１５e側とそれぞれ連通することができ、他端部は、第２のガスのタンク１３５と連通することができる。
【００４０】
前記本体１１０の下面、より具体的には、第２のガスのタンク１３５の内側には、各区域１１５a、１１５b、１１５c、１１５d、１１５eと、それぞれ連通されている連通ダクト１４７がそれぞれ設置されることができる。各連通ダクト１４７には、各区域１１５a、１１５b、１１５c、１１５d、１１５eと連通される有害ガス管１４１の上端部がそれぞれ連通することができ、清浄ガス管１４３の上端部がそれぞれ連通することができ、パージガス管１４５の一端がそれぞれ連通することができる。したがって、有害なガスやパージガスは連通ダクト１４７を介して、各区域１１５a、１１５b、１１５c、１１５d、１１５eに流入することができ、燃焼室１１１aの清浄ガスは、各区域１１５a、１１５b、１１５c 、１１５d、１１５eを介して連通ダクト１４７に排出することができる。
【００４１】
有害ガス管１４１、清浄ガス管１４３、及びパージガス管１４５には、第１の開閉ユニット１５０、第２の開閉ユニット１７１、及び第３の開閉ユニット１７５がそれぞれ設置されることができ、第１の開閉ユニット１５０、第２の開閉ユニット１７１及び第３の開閉ユニット１７５は、有害ガス管１４１、清浄ガス管１４３、及びパージガス管１４５をそれぞれ独立して開閉することができる。
【００４２】
従って、有害ガスは、第１の開閉ユニット１５０によって、各区域１１５a、１１５b、１１５c、１１５d、１１５eの蓄熱部材１２０を選択的に通過して燃焼室１１１aに流入することができ、清浄ガスは、第２の開閉ユニット１７１によって、各区域１１５a、１１５b、１１５c、１１５d、１１５eの蓄熱部材１２０を選択的に通過して、第１のガスのタンク１３１に排出することができ、パージガスは各区域１１５a、１１５b、１１５c、１１５d、１１５eの蓄熱部材１２０を選択的に通過して燃焼室１１１aに流入することができる。
【００４３】
有害ガス管１４１、清浄ガス管１４３、及びパージガス管１４５は、断面形状が四角状に設けることができる。
【００４４】
本発明の一実施例に係る蓄熱式燃焼酸化装置の動作について図１ないし図４を参照して説明する。図４は、図２に示された下部本体の概略平面図である。
【００４５】
以下では、有害ガス、清浄ガス、およびパージガスが、下部本体１１５の中心を基準に、時計方向である順方向に循環しながら各区域１１５a、１１５b、１１５c、１１５d、１１５eに設置された蓄熱部材１２０をそれぞれ順次に通過することを例に挙げて説明する。
【００４６】
図４に示すように、下部本体１１５の内部が５つの区域１１５a、１１５b、１１５c、１１５d、１１５eに区画されているので、n=３である。したがって、有害なガスや清浄ガスは、それぞれ２つの区域を通過し、約対称される区域をそれぞれ通過することができる。
【００４７】
すべての第１の開閉ユニット１５０ないし第３の開閉ユニット１７５が閉鎖された状態を最初の状態と仮定する。
【００４８】
最初の状態では、有害なガス及び清浄ガスが区域１１５a、１１５b及び区域１１５c、１１５dをそれぞれ通過できるように、第１の開閉ユニット１５０a、１５０b及び第２の開閉ユニット１７１c、１７１dを調節して、有害ガス管１４１a、１４１b及び清浄ガス管１４３c、１４３dをそれぞれ開放する。
【００４９】
これにより、有害ガスは、区域１１５a、１１５bを通過して燃焼室１１１aに流入され、燃焼室１１１aに流入した有害ガスは、燃焼室１１１aの一側面と上面及び他の側面に沿って移動しながら燃焼されて清浄ガスになる。その後、区域１１５c、１１５dを通過して排出される。このとき、清浄ガスが通過した区域１１５c、１１５dの蓄熱部材１２０は、清浄ガスと熱交換して蓄熱をすることになる。
【００５０】
このような状態では、第３の開閉ユニット１７５eが開放されると、パージガス管１４５eを介して区域１１５eにパージガスが流入され、これにより、区域１１５eに残存する有害ガスがパージガスと一緒に燃焼室１１１aに流入される。そのため、区域１１５eは、純粋な状態になる。このとき、パージガスは、有害ガスが通過する最後端の区域１１５aと清浄ガスが通過する最先端の区域１１５dとの間に位置された区域１１５eに流入されるのが望ましい。パージガスは、清浄空気であることができる。
【００５１】
区域１１５eが清浄な状態になると、第３の開閉ユニット１７５eが閉鎖される。その後、順次、第２の開閉ユニット１７１e及び第２の開閉ユニット１７１cによって清浄ガス管１４３eは開放され、清浄ガス管１４３cは閉鎖される。第１の開閉ユニット１５０c及び第１の開閉ユニット１５０aによって有害ガス管１４１cは開放 され、有害ガス管１４１aは閉鎖される。それでは、有害ガスは区域１１５b、１１５cを通過して燃焼室１１１aに流入され、清浄ガスは区域１１５d、１１５eを通過して排出される。区域１１５eは、パージガスによって純粋な状態なので、区域１１５eを介して排出される清浄ガスは有害ガスが混ざらない状態となる。
【００５２】
このような状態では、第３の開閉ユニット１７５aが開放されると、パージガス管１４５aを介してパージガスが区域１１５aに流入されるので、区域１１５aに残存する有害ガスがパージガスと一緒に燃焼室１１１aに流入されて、区域１１５aは、純粋な状態になる。
【００５３】
その後、順次、第２の開閉ユニット１７１a及び第２の開閉ユニット１７１dによって清浄ガス管１４３aは開放され、清浄ガス管１４３dは閉鎖され、第１の開閉ユニット１５０d及び第１の開閉ユニット１５０bによって有害ガス管１４１dは開放され、有害ガス管１４１bは閉鎖される。それでは、有害ガスは区域１１５c、１１５dを通過して燃焼室１１１aに流入され、清浄ガスは区域１１５e、１１５aを通過して排出される。区域１１５aは、パージガスによって純粋な状態なので、区域１１５aを介して排出される清浄ガスは有害ガスが混ざっていない状態となる。
【００５４】
前記のような動作の繰り返しによって、有害ガスは清浄ガスとなって排出され、蓄熱部材１２０は、清浄ガスによって蓄熱される。
【００５５】
本発明の一実施例に係る蓄熱式燃焼酸化装置は、本体１１０が多角形で形成されることもできるし、蓄熱部材１２０は、各区域１１５a、１１５b、１１５c、１１５d、１１５eと対応する形状に形成されることができる。
【００５６】
清浄ガスが排出される区域１１５a、１１５b、１１５c、１１５d、１１５eの有害ガス管１４１は閉鎖される。つまり、清浄ガスが排出される区域１１５a、１１５b、１１５c、１１５d、１１５eの有害ガス管１４１は、第１の開閉ユニット１５０によって閉鎖される。ところで、第１の開閉ユニット１５０がインストールされて有害ガス管１４１の部位から有害ガスが漏洩されると、清浄ガスが排出される区域１１５a、１１５b、１１５c、１１５d、１１５eに有害ガスが流入されることができるので、有害ガスが清浄ガスに混ざって排出されることができる。
【００５７】
本発明の一実施例に係る蓄熱式燃焼酸化装置は、有害ガスが排出される清浄ガスに混ざることを防止するために、有害ガス管１４１が第１の開閉ユニット１５０によって閉鎖されたとき、漏洩等により第１の開閉ユニット１５０に残存する有害ガスを強制的に外部に排出させることができる。
【００５８】
第１の開閉ユニット１５０は、上側および下側が有害ガス管１４１の上側部位および下側部位とそれぞれ連通することができ、中央部側に密閉された空間が形成されることができる。そして、有害ガス管１４１が第１の開閉ユニット１５０によって閉鎖されると、第１の開閉ユニット１５０の密閉された空間に存在する有害ガスを含むガスが強制的に外部に排出することができる。
【００５９】
第１の開閉ユニット１５０に対して、図３乃至図７を参照して説明する。図５は、図２に示された開閉ユニットの分解斜視図であり、図６及び図７は、図５の“A―A”線の断面図である。
【００６０】
図示されたように、第１の開閉ユニット１５０は、フレーム１５１及び開閉部材１５３を含むことができる。
【００６１】
前記フレーム１５１は、六面体形状で用意されることができ、断面形状が有害ガス管１４１の断面形状と対応する形状で用意されることができる。フレーム１５１は、上面及び下面が開放されることができ、有害ガス管１４１の上側部位および下側部位は、フレーム１５１の開放された上面および開放された下面と、それぞれ連通することができる。したがって、有害ガス管１４１の上側部分と下側部分は、フレーム１５１を介して相互に連通された形態を成すことができる。
【００６２】
六面体は、４つの側板を有する。ところで、本発明の一実施例に係るフレーム１５１は、３つの側板を有し、１つの側面は開放されることができる。
【００６３】
開閉部材１５３は、フレーム１５１の開放された側面を介してフレーム１５１の内部に挿入することができ、フレーム１５１を出入りする形として直線運動が可能に設置されることができる。そして、開閉部材１５３は、フレーム１５１の上面側と下面側とを連通及び遮断することができる。
【００６４】
開閉部材１５３の内部には、フレーム１５１の側面により密閉されている空間１５３aが形成されることができ、開閉部材１５３の空間１５３aに残存するガスは、フレーム１５１の上面側及び下面側が開閉部材１５３によって遮断されると、フレーム１５１の外側へ排出することができる。
【００６５】
開閉部材１５３は、開閉板１５４との接続板１５５を含むことができる。
【００６６】
開閉板１５４は、相互に対向して間隔を持つペアで用意されることができ、フレーム１５１の開放された側面に挿入されて、フレーム１５１を出入りする形で直線運動が可能に設置することができる。接続板１５５は、フレーム１５１の開放された側面側に配置されて、フレーム１５１の外側に露出されることができ、一対の開閉板１５４を一体に接続することができる。そして、開閉部材１５３がフレーム１５１の内部に挿入されて、フレーム１５１の上側部分と下側部分を遮断すれば、開閉板１５４および接続板１５５によって形成される開閉部材１５３の空間１５３aは、フレーム１５１の側面により密閉される。そして、開閉部材１５３によってフレーム１５１の上側部位と下側部位が遮断されると、密閉された開閉部材１５３の空間１５３aに存在するガスは、外部に強制的に排出される。
【００６７】
フレーム１５１の相互対向する側板の内面には、案内レール１５１aが相互に対向するように形成されることができ、案内レール１５１aは、一対の開閉板１５４の両側に形成された間隔(ギャップ)に挿入される。このとき、開閉板１５４は、案内レール１５１aに挿入支持された形になるので、案内レール１５１aは、開閉板１５４の直線運動を案内して支持する。
【００６８】
フレーム１５１の開放された側面と対向するフレーム１５１の側板の内面には、挿入レール１５１bが形成されることができる。そして、開閉部材１５３によってフレーム１５１の上面側と下面側が遮断されたとき、挿入レール１５１bと対向する一対の開閉板１５４の面との間に形成される間隔に挿入レール １５１bが挿入されることができる。このため、フレーム１５１の上面側と下面側は開閉部材１５３によって安定的に遮断することができる。
【００６９】
挿入レール１５１bは、案内レール１５１aと連続的に形成されることができる。
【００７０】
フレーム１５１の一側板には、開閉部材１５３によってフレーム１５１の上側部位と下側部位が遮断されたとき、フレーム１５１の側板によって密閉されている開閉部材１５３の空間１５３aに存在するガスを外部に排出させるための排出孔１５１cが形成されることができる。排出孔１５１cの一側は、開閉部材１５３の空間１５３aと連通することができ、他側はポンプ１６１と連通することができる。
【００７１】
そして、本体１１０に形成されたいずれかの区域１１５a、１１５b、１１５c、１１５d、１１５eに清浄ガスが排出されるとき、清浄ガスが排出される区域の有害ガス管１４１は、第１の開閉ユニット１５０ によって閉鎖される。ところで、有害ガス管１４１が第１の開閉ユニット１５０によって閉鎖されると、フレーム１５１によって密閉されている開閉部材１５３の空間１５３aのガスがポンプ１６１によって第１の開閉ユニット１５０の外側に排出される。そのため、第１のガスのタンク１３１の有害ガスが有害ガス管１４１と、第１の開閉ユニット１５０との接触部位または第１の開閉ユニット１５０の部品との接触部位を介して漏洩されて密閉された開閉部材１５３の空間１５３aに流入しても、排出孔１５１cを介して外部に排出されるので、清浄ガスが排出される区域１１５a、１１５b、１１５c、１１５d、１１５eには、有害ガスが流入されない。従って、本体１１０の第１のガスのタンク１３１側に排出される清浄ガスに有害ガスが混ざることが防止される。
【００７２】
第１の開閉ユニット１５０は、上側のコネクター１５８と下側のコネクター１５９をさらに含むことができる。
【００７３】
上側のコネクター１５８と下側のコネクター１５９は、フレーム１５１の開放された上面と開放された下面にそれぞれ連通して設置することができ、上側のコネクター１５８と下側のコネクター１５９は、有害ガス管１４１の上側部位と下側部位とそれぞれ連通することができる。
【００７４】
フレーム１５１に上側のコネクター１５８と下側のコネクター１５９を安定して設置するために、フレーム１５１の上面及び下面には上側のコネクター１５８の下端部及び下側のコネクター１５９の上端部がそれぞれ挿入結合される溝形状の挿入路１５１dがそれぞれ形成されることができる。
【００７５】
有害ガス管１４１と上側のコネクター１５８との接触部位、有害ガス管１４１と下側のコネクター１５９との接触部位、フレーム１５１と上側のコネクター１５８との接触部位、フレーム１５１と下側のコネクター１５９との接触部位、及びフレーム１５１と開閉部材１５３との接触部位はシーリングされることができる。
【００７６】
図５の未説明の符号１６５は、開閉部材１５３を直線運動させるシリンダーなどの駆動部である。そして、第２の開閉ユニット１７１及び第３の開閉ユニット１７５も、第１の開閉ユニット１５０と同一又は類似して形成することができる。
【００７７】
本発明の一実施例に係る蓄熱式燃焼酸化装置は、蓄熱部材１２０がインストールされた本体１１０のいずれかの区域１１５a、１１５b、１１５c、１１５d、１１５eに清浄ガスが排出されるとき、清浄ガスが排出される区域１１５a、１１５b、１１５c、１１５d、１１５eの有害ガス管１４１は、第１の開閉ユニット１５０によって閉鎖される。また、有害なガス管１４１が第１の開閉ユニット１５０によって閉鎖されると、第１の開閉ユニット１５０に残存するガスは、第１の開閉ユニット１５０の外部に強制的に排出され、清浄ガスが排出される区域１１５a、１１５b、１１５c、１１５d、１１５eに流入されない。これにより、排出される清浄ガスに有害ガスが混ざることが防止される。
【００７８】
以上で説明した本発明は、前述した実施例及び添付された図面に限定されるものではなく、本発明の技術的思想を逸脱しない範囲内で、複数の置換、変形及び変更が可能であることは、本発明が属する技術分野で通常の知識を有する者にとって明らかであろう。したがって、本発明の範囲は、後述する特許請求の範囲によって示され、特許請求の範囲の意味及び範囲そしてその等価概念から導き出されるすべての変更または変形された形態が本発明の範囲に含まれるものと解釈されるべきである。
【符号の説明】
【００７９】
１１０  本体
１２０  蓄熱部材
１４１  有害ガス管
１４３  清浄ガス管
１５０  第１の開閉ユニット
１５１  フレーム
１５３  開閉部材
【図１】
0006843404.tif 000002
【図２】
0006843404.tif 000003
【図３】
0006843404.tif 000004
【図４】
0006843404.tif 000005
【図５】
0006843404.tif 000006
【図６】
0006843404.tif 000007
【図７】
0006843404.tif 000008